(57)【要約】【課題】ジューサにおいて、フローズンアタッチメント内から容器外への流動状態のフローズン材料の排出を円滑に行う。【解決手段】ジューサにおいて、容器の内側に配置されるフローズンアタッチメントであって、フローズンアタッチメントは、内周面とスクリュとの間でフローズン材料を押し潰すドラム部と、容器の第１排出口の入口側と接続され、押し潰された流動状態の材料を第１排出口内へ導く第２排出口とを有し、容器の第１排出口内には外部からの指入れ防止用の第１リブが設けられ、フローズンアタッチメントの第２排出口内には、第１リブに対応した位置に第２リブが設けられる。【選択図】図７
2016054798.tif 000002
【特許請求の範囲】
【請求項１】
回転駆動されるスクリュと、
内側に前記スクリュを配置させるとともに、内周面と前記スクリュとの間でフローズン材料を押し潰すフローズンアタッチメントと、
押し潰された流動状態の材料を排出する第１排出口を有する容器と、
材料投入口を有し、前記容器の上部に装着される蓋と、
前記容器の載置部を上側に有するとともに、前記スクリュを回転駆動させる本体部と、を備え、
前記フローズンアタッチメントは、内周面と前記スクリュとの間でフローズン材料を押し潰すドラム部と、前記容器の前記第１排出口の入口側と接続され、押し潰された流動状態の材料を前記第１排出口内へ導く第２排出口とを有し、
前記容器の前記第１排出口内には外部からの指入れ防止用の第１リブが設けられ、前記フローズンアタッチメントの前記第２排出口内には、前記第１リブに対応した位置に第２リブが設けられる、ジューサ。
【請求項２】
前記フローズンアタッチメントの前記第２リブが形成された位置における前記第２排出口の流路断面は、前記容器の前記第１リブが形成された位置における前記第１排出口の流路断面よりも小さい、請求項１に記載のジューサ。
【請求項３】
前記フローズンアタッチメントの前記第２排出口における少なくとも出口側に前記第２リブが設けられる、請求項１または２に記載のジューサ。
【請求項４】
前記フローズンアタッチメントの前記第２排出口の入口側から出口側まで延在するように前記第２リブが設けられる、請求項１から３のいずれか１つに記載のジューサ。
【請求項５】
前記第２排出口は前記フローズンアタッチメントの前記ドラム部の外周面より外方に突出する筒形状を有する、請求項１から４のいずれか１つに記載のジューサ。
【請求項６】
回転駆動されるスクリュと、内側に前記スクリュを配置させるとともに、内周面と前記スクリュとの間でフローズン材料を押し潰すフローズンアタッチメントと、押し潰された流動状態の材料を排出する第１排出口を有する容器と、材料投入口を有し、前記容器の上部に装着される蓋と、前記容器の載置部を上側に有するとともに、前記スクリュを回転駆動させる本体部と、を備えるジューサ用のフローズンアタッチメントであって、
前記フローズンアタッチメントは、内周面と前記スクリュとの間でフローズン材料を押し潰すドラム部と、前記容器の前記第１排出口の入口側と接続され、押し潰された流動状態の材料を前記第１排出口内へ導く第２排出口とを有し、
前記フローズンアタッチメントの前記第２排出口内には、前記容器の前記第１排出口内に設けられた外部からの指入れ防止用の第１リブに対応した位置に第２リブが設けられる、ジューサ用のフローズンアタッチメント。
【発明の詳細な説明】
【技術分野】
【０００１】
本開示はジューサ（あるいは搾汁ジューサ）に関する。より具体的には、本開示は、スクリュによって、野菜、果物または穀類等の材料を圧搾または押し潰して、搾汁をジュースとして得るジューサにおいて、フローズン材料を押し潰すために用いられるフローズンアタッチメントに関する。
【背景技術】
【０００２】
従来、ジューサとして様々な構成のものが知られている。例えば、従来のジューサは、容器と、容器内に配置され搾汁を透過させる網状部を有するジューサアタッチメントと、ジューサアタッチメントの内側に配置されたスクリュと、容器を載置するとともにスクリュを回転駆動させる本体部とを備える。このような従来のジューサでは、回転駆動されたスクリュの外面とジューサアタッチメントの内周面との間で果物等の材料が圧搾され、ジューサアタッチメントの網状部を透過した搾汁が、容器の排出口よりジュースとして取り出される（例えば、特許文献１参照）。
【０００３】
近年、このようなジューサにおいて、フローズン材料（例えば、冷凍果物等）を材料として用い、スクリュにてフローズン材料を押し潰して、シャーベットやアイスクリーム状のデザートとして作るようなフローズンアタッチメントが用いられている。このようにフローズン材料を押し潰して作られたデザートは、一般的には「ヨナナス」（登録商標）とも呼ばれており、低カロリーで新感覚のデザート（スイーツ）として注目されている。
【０００４】
ここで、従来のジューサにおいてフローズンアタッチメントが用いられた構成について図１２および図１３を用いて説明する。図１２は従来のジューサの外観図であり、図１３はジューサにおける容器等の分解図である。
【０００５】
図１３に示すように、従来のジューサ５１は、容器５２と、容器５２内に配置されるフローズンアタッチメント５３と、フローズンアタッチメント５３の内側に配置されるスクリュ５４と、容器５２の上部に装着される蓋５５とを備える。蓋５５にはフローズン材料の材料投入口５６が設けられている。容器５２には流動状態の材料の第１排出口６１が設けられ、フローズンアタッチメント５３には流動状態の材料の第２排出口６２が設けられている。また、図１２に示すように、これらの部材は容器５２とともに本体部６０の上部に載置され、この載置状態において、本体部６０が内蔵する駆動部（図示せず）によりスクリュ５４が回転駆動可能な状態となる。
【０００６】
ジューサ５１において、材料投入口５６よりフローズン材料が投入されると、回転駆動されるスクリュ５４の外面とフローズンアタッチメント５３の内周面との間で、フローズン材料が押し潰されて、流動状態の材料が作られる。この流動状態の材料は、フローズンアタッチメント５３の第２排出口６２を通して、容器５２の第１排出口６１へと導かれ、第１排出口６１より材料が排出される。
【０００７】
このようなジューサ５１では、容器５２の第１排出口６１内に、装置外部からの指入れ防止用のリブ（図示せず）がユーザの安全保護の観点から設けられている。このようなリブは、第１排出口６１内の流路を、実質的に複数の流路（例えば、２つまたは３つ）に分割している。
【先行技術文献】
【特許文献】
【０００８】
【特許文献１】特表２０１１−５２７２２９号公報
【発明の概要】
【発明が解決しようとする課題】
【０００９】
フローズンアタッチメント５３の第２排出口６２の出口側は、容器５２の第１排出口６１の入口側に接続されている（近接して配置されている）。フローズン材料を押し潰して作られた流動状態の材料は搾汁と比べて粘性が高い。そのため、第１排出口６１内へ材料が導かれる際に、第１排出口６１内の指入れ防止用のリブが流路抵抗となって、第２排出口６２から第１排出口６１内へと材料を円滑に導くことが難しい。そのため、第１排出口６１と第２排出口６２との接続部分の隙間から容器５２内に材料があふれ出すという問題がある。
【００１０】
また、図１３に示すように、フローズンアタッチメント５３の第２排出口６２は、筒状の下部に開口が設けられた略半円筒形状を有しており、この開口からも容器５２内に材料が大きくあふれ出すという問題がある。そのため、従来のジューサにおいてフローズン材料を用いるような場合には、フローズンアタッチメント５３の第２排出口６２からあふれ出した材料が容器５２の内面にも付着して、ユーザにおける洗浄の手間も増える。
【００１１】
また、このような問題を解決するために第１排出口６１と第２排出口６２との接続部分にパッキンなどのシール部材を設けることは部品点数が増加するだけでなく、シール部材の洗浄の手間も増えてしまう。
【００１２】
従って、本開示の目的は、上記従来の課題を解決することにあって、ジューサにフローズンアタッチメントが装備された場合に、フローズンアタッチメント内から容器外へ流動状態のフローズン材料を円滑に排出することができるフローズンアタッチメントおよびそれを用いたジューサを提供することにある。
【課題を解決するための手段】
【００１３】
上記目的を達成するために、本開示のフローズンアタッチメントまたはそれを用いたジューサは以下のように構成する。
【００１４】
本開示の一の態様によれば、回転駆動されるスクリュと、内側にスクリュを配置させるとともに、内周面とスクリュとの間でフローズン材料を押し潰すフローズンアタッチメントと、押し潰された流動状態の材料を排出する第１排出口を有する容器と、材料投入口を有し、容器の上部に装着される蓋と、容器の載置部を上側に有するとともに、スクリュを回転駆動させる本体部と、を備え、フローズンアタッチメントは、内周面とスクリュとの間でフローズン材料を押し潰すドラム部と、容器の第１排出口の入口側と接続され、押し潰された流動状態の材料を第１排出口内へ導く第２排出口とを有し、容器の第１排出口内には外部からの指入れ防止用の第１リブが設けられ、フローズンアタッチメントの第２排出口内には、第１リブに対応した位置に第２リブが設けられる、ジューサを提供する。
【００１５】
本開示の別の一の態様によれば、回転駆動されるスクリュと、内側にスクリュを配置させるとともに、内周面とスクリュとの間でフローズン材料を押し潰すフローズンアタッチメントと、押し潰された流動状態の材料を排出する第１排出口を有する容器と、材料投入口を有し、容器の上部に装着される蓋と、容器の載置部を上側に有するとともに、スクリュを回転駆動させる本体部と、を備えるジューサ用のフローズンアタッチメントであって、フローズンアタッチメントは、内周面とスクリュとの間でフローズン材料を押し潰すドラム部と、容器の第１排出口の入口側と接続され、押し潰された流動状態の材料を第１排出口内へ導く第２排出口とを有し、フローズンアタッチメントの第２排出口内には、容器の第１排出口内に設けられた外部からの指入れ防止用の第１リブに対応した位置に第２リブが設けられる、ジューサ用のフローズンアタッチメントを提供する。
【発明の効果】
【００１６】
本開示によれば、ジューサにフローズンアタッチメントが装備された場合に、フローズンアタッチメント内から容器外へ流動状態のフローズン材料を円滑に排出することができる。
【図面の簡単な説明】
【００１７】
【図１】本開示の一の実施の形態にかかるジューサの外観図
【図２】実施の形態のジューサの分解図
【図３】実施の形態のジューサの分解図（容器およびその内側の構成）
【図４】実施の形態のジューサが備えるフローズンアタッチメントの外観図
【図５】実施の形態のフローズンアタッチメントと容器およびスクリュの関係図（分解図）
【図６】実施の形態のフローズンアタッチメントを装着した状態における容器の断面図
【図７】実施の形態のフローズンアタッチメントが容器内に装着された状態の断面図
【図８】実施の形態のジューサが備える容器の断面図
【図９】実施の形態のジューサにおいて、容器の第１排出口を通してフローズンアタッチメントの第２排出口を覗いた状態を示す容器の外観図（一部断面図）
【図１０】実施の形態の変形例１にかかるフローズンアタッチメントの外観図
【図１１】実施の形態の変形例２にかかるフローズンアタッチメントの外観図
【図１２】従来のジューサの外観図
【図１３】従来のジューサにおける容器等の分解図
【発明を実施するための形態】
【００１８】
本開示の第１態様のジューサは、回転駆動されるスクリュと、内側にスクリュを配置させるとともに、内周面とスクリュとの間でフローズン材料を押し潰すフローズンアタッチメントと、押し潰された流動状態の材料を排出する第１排出口を有する容器と、材料投入口を有し、容器の上部に装着される蓋と、容器の載置部を上側に有するとともに、スクリュを回転駆動させる本体部と、を備え、フローズンアタッチメントは、内周面とスクリュとの間でフローズン材料を押し潰すドラム部と、容器の第１排出口の入口側と接続され、押し潰された流動状態の材料を第１排出口内へ導く第２排出口とを有し、容器の第１排出口内には外部からの指入れ防止用の第１リブが設けられ、フローズンアタッチメントの第２排出口内には、第１リブに対応した位置に第２リブが設けられたものである。
【００１９】
このような構成によれば、フローズンアタッチメントの第２排出口内に流動状態のフローズン材料を通過させる際に、第２排出口内において容器の第１リブに対応した位置に設けられた第２リブにより材料の流れを整えることができる。よって、第２排出口から第１排出口内へと円滑に材料を導くことができる。したがって、ジューサにフローズンアタッチメントが装備された場合に、フローズンアタッチメント内から容器外へ流動状態のフローズン材料を円滑に排出することができる。
【００２０】
本開示の第２態様のジューサは、第１態様のジューサにおいて、フローズンアタッチメントの第２リブが形成された位置における第２排出口の流路断面は、容器の第１リブが形成された位置における第１排出口の流路断面よりも小さくしたものである。このように流路断面を設定することで、第２排出口から第１排出口へと流動状態のフローズン材料が導かれる際に、第１排出口の入口側にて流路抵抗が増加することを抑制でき、材料の流れを円滑にできる。
【００２１】
本開示の第３態様のジューサは、第１または第２態様のジューサにおいて、フローズンアタッチメントの第２排出口における少なくとも出口側に第２リブを設けたものである。これにより、少なくとも第２排出口の出口側にて、流動状態のフローズン材料の流れを第１排出口の第１リブの形成位置に対応して整えることができ、第１排出口の入口側にて流路抵抗が増加することを抑制でき、材料の流れを円滑にできる。
【００２２】
本開示の第４態様のジューサは、第１から第３のいずれか１つの態様のジューサにおいて、フローズンアタッチメントの第２排出口の入口側から出口側まで延在するように第２リブを設けたものである。これにより、第２排出口の入口側において第２リブが流路抵抗となって留まろうとする材料を、フローズンアタッチメントのドラム部の内周面においてスクリュにより掻き取ることができ、材料の流れを円滑にできる。
【００２３】
本開示の第５態様のジューサは、第１から第４のいずれか１つの態様のジューサにおいて、第２排出口はフローズンアタッチメントのドラム部の外周面より外方に突出する筒形状を有するものである。これにより、容器内に材料があふれ出して内周面に材料を付着することを抑制でき、フローズンアタッチメントの第２排出口から容器の第１排出口内へと円滑に材料を導くことができる。
【００２４】
本開示の第６態様のジューサ用のフローズンアタッチメントは、回転駆動されるスクリュと、内側にスクリュを配置させるとともに、内周面とスクリュとの間でフローズン材料を押し潰すフローズンアタッチメントと、押し潰された流動状態の材料を排出する第１排出口を有する容器と、材料投入口を有し、容器の上部に装着される蓋と、容器の載置部を上側に有するとともに、スクリュを回転駆動させる本体部と、を備えるジューサ用のフローズンアタッチメントであって、フローズンアタッチメントは、内周面とスクリュとの間でフローズン材料を押し潰すドラム部と、容器の第１排出口の入口側と接続され、押し潰された流動状態の材料を第１排出口内へ導く第２排出口とを有し、フローズンアタッチメントの第２排出口内には、容器の第１排出口内に設けられた外部からの指入れ防止用の第１リブに対応した位置に第２リブが設けられたものである。
【００２５】
このような構成によれば、フローズンアタッチメントの第２排出口内に流動状態のフローズン材料を通過させる際に、第２排出口内において容器の第１リブに対応した位置に設けられた第２リブにより材料の流れを整えることができる。よって、第２排出口から第１排出口内へと円滑に材料を導くことができる。したがって、ジューサにフローズンアタッチメントが装備された場合に、フローズンアタッチメント内から容器外へ流動状態のフローズン材料を円滑に排出することができる。
【００２６】
（実施の形態）
以下に、本開示にかかる実施の形態を図面に基づいて詳細に説明する。
【００２７】
本開示の一の実施の形態にかかるジューサ１の外観図を図１に示す。また、本実施の形態のジューサ１の分解図を図２および図３に示す。なお、図３は、ジューサ１において、本体部、蓋および押し棒を除く構成（すなわち、容器およびその内側の構成）の分解図である。
【００２８】
図１から図３に示すように、ジューサ１は、容器２と、容器２の内側に配置されるジューサアタッチメント３と、ジューサアタッチメント３の内側に配置されるスクリュ４と、容器２の上部に装着される蓋５と、容器２が載置される本体部１０とを備える。
【００２９】
容器２は、上部が開放された円筒形状を有する透明のプラスチックで形成された容器である。容器２の外周面下方には、搾汁を外部へ排出する第１排出口２１と材料の搾り滓を排出する搾り滓排出口２３とが容器２の内側空間と連通するように設けられている。第１排出口２１と搾り滓排出口２３とは、容器２の外周面より外方に突出した筒形状を有する。
【００３０】
蓋５は容器２の上部開放部分に脱着可能に装着される。蓋５には、上方に向かって延在する筒形状の材料投入口６が設けられている。材料投入口６内には、投入された材料を容器２内へ押し込むための押し棒７が挿入配置される。
【００３１】
ジューサアタッチメント３は、ドラム部材８と、ドラム部材８の周囲に配置される回転ブラシ９とにより構成される。ドラム部材８は、内側から外側へと搾汁が透過（通過）可能でありかつ搾り滓の透過（通過）を抑制可能な網状部８ａをその周面に備える。ドラム部材８の内側にはスクリュ４が配置され、網状部８ａの内周面にスクリュ４の外面が近接する。ドラム部材８は、容器２の内側に挿入配置された状態で容器２と係合して、少なくともスクリュ４の回転方向に対して一体的な状態とされる。
【００３２】
スクリュ４の外面とドラム部材８の内周面との間で材料が圧搾されて、搾汁が網状部８ａを透過して容器２とドラム部材８との間の空間に抽出される。一方、搾り滓は、網状部８ａを透過することなく、ドラム部材８の内側に留まる。なお、容器２の第１排出口２１は容器２の内周面とドラム部材８の外周面との間の空間に連通されており、搾り滓排出口２３はドラム部材８の内側の空間に連通されている。ドラム部材８の外周面には強度を高めるための複数の環状リブ８ｂが設けられ、内周面にはスクリュ４と材料の共回りを抑制するための複数の縦リブ８ｃが設けられている。ドラム部材８には、必要に応じて材料の圧搾を補助する補助刃が設けられているような場合であってもよい。
【００３３】
回転ブラシ９は、ドラム部材８の外周面と容器２の内周面との間に配置され、ドラム部材８に対して回転駆動されることで、網状部８ａ等に付着した材料の搾り滓等を取り除く。
【００３４】
本体部１０は容器２が載置される載置部１１をその上部に有し、容器２が脱着可能に本体部１０に装着される。本体部１０はスクリュ４を回転駆動させる駆動部（図示せず）を内蔵しており、駆動部に連結された回転駆動軸１２が載置部１１の中央において上方に突出するように配置されている。この回転駆動軸１２は載置部１１に載置（装着）された容器２の底を貫通して、容器２の内側に配置されたスクリュ４と脱着可能に連結する。このような連結状態において、本体部１０が内蔵する駆動部により回転駆動軸１２を介してスクリュ４が回転駆動可能となる。なお、回転駆動軸１２と容器２の底部との貫通部分などには、搾汁等の液体の漏洩を防ぐシール部材（図示せず）が設けられている。
【００３５】
スクリュ４は大略円筒形状を有し、その外面にはドラム部材８に近接して材料を圧搾するらせん部４ａが設けられている。上述したように、スクリュ４の下部は本体部１０の回転駆動軸１２と連結される。スクリュ４の上部にはスクリュ４の回転軸４ｂが上方に突出しており、容器２に装着された状態の蓋５の下部に回転軸４ｂが回転可能に係合される。
【００３６】
このような構成のジューサアタッチメント３が装着されたジューサ１にて、果物等を材料として搾汁ジュースを作る方法について説明する。
【００３７】
まず、本体部１０の載置部１１に容器２、回転ブラシ９、ドラム部材８、およびスクリュ４を設置するとともに、容器２の上部に蓋５を装着する。その後、材料投入口６を通して果物等の材料を投入して、押し棒７を用いて材料を容器２内に押し込む。本体部１０の駆動部によりスクリュ４を回転駆動させることにより、スクリュ４の外面とドラム部材８の内周面との間で材料が圧搾され、搾汁が網状部８ａを透過して容器２とドラム部材８との間の空間に抽出される。搾汁は容器２の第１排出口２１を通して搾汁ジュースとして取り出される。
【００３８】
一方、材料の搾り滓は、網状部８ａを透過することなく、ドラム部材８の底部に留まり、その後、ドラム部材８の底部に形成された図示しない開口部を介して、容器２の搾り滓排出口２３を通して容器２外へと排出される。スクリュ４の回転駆動とともに回転ブラシ９が例えばスクリュ４とは逆向きに回転駆動されて、ドラム部材８の網状部８ａ等に付着した材料の搾り滓等が回転ブラシ９により取り除かれる。このようにしてジューサアタッチメント３が装着されたジューサ１にて、搾汁ジュースが作られる。
【００３９】
次に、ジューサ１において、ジューサアタッチメント３と交換可能に装備されるフローズンアタッチメント３０について説明する。
【００４０】
本実施の形態のジューサ１は、フローズン材料（例えば、冷凍果物等）を材料として用い、スクリュ４にてフローズン材料を押し潰して、シャーベットやアイスクリーム状のデザートを作るようなフローズンアタッチメント３０を備えている。ジューサ１において、フローズン材料が用いられるような場合には、このフローズンアタッチメント３０が、ジューサアタッチメント３（ドラム部材８および回転ブラシ９）と交換して本体部１０の載置部１１に装着される。
【００４１】
ここで、フローズンアタッチメント３０の外観図を図４に示す。また、フローズンアタッチメント３０と容器２およびスクリュ４との関係を示す分解図を図５に示し、フローズンアタッチメント３０を装着した状態における容器２の断面図を図６に示す。
【００４２】
図４に示すように、フローズンアタッチメント３０は、上部に開口を有する円筒状の有底容器であり、例えば透明のプラスチックで形成されている。図５および図６に示すように、フローズンアタッチメント３０は容器２の内側に配置され、フローズンアタッチメント３０の内側にはスクリュ４が配置される。
【００４３】
フローズンアタッチメント３０は、円筒状の内周面とスクリュ４の外面との間でフローズン材料を押し潰すドラム部３１と、容器２の第１排出口２１の入口側と接続され、押し潰された流動状態の材料を第１排出口２１内へ導く第２排出口３２とを備える。第２排出口３２はドラム部３１の外周面より外方に突出する筒形状を有する。
【００４４】
ドラム部３１の外周面には強度を高めるための複数の環状リブ３１ａが設けられ、内周面にはスクリュ４とフローズン材料の共回りを抑制するための複数の縦リブ３１ｂが設けられている。ドラム部３１の内周面にスクリュ４の外面が近接するように、フローズンアタッチメント３０の内側にスクリュ４が配置される。フローズンアタッチメント３０は、容器２内に挿入配置された状態で容器２と係合して、少なくともスクリュ４の回転方向に関して一体的な状態とされる。
【００４５】
ここで、フローズンアタッチメント３０の第２排出口３２と容器２の第１排出口２１との関係について、図７〜図９等を参照して説明する。図７はフローズンアタッチメント３０が容器２の内側に配置された状態の断面図であり、図８は容器２の断面図である。図９は容器２の第１排出口２１を通してフローズンアタッチメント３０の第２排出口３２を覗いた状態を示す容器２の外観図（一部断面図）である。
【００４６】
このようなジューサ１では、ユーザの安全保護の観点から、装置外部からの指入れ防止用の第１リブ２４が容器２の第１排出口２１内に設けられている（図６、図８、図９参照）。この第１リブ２４は円筒形状を有する第１排出口２１の上部内周面より下方に突出した板状部材であり、第１リブ２４は第１排出口２１内の流路を実質的に左右２つの流路に分割している。なお、第１リブ２４の下端２４ａと第１排出口２１の下部内周面との間には隙間２５が設けられている。このように隙間２５が設けられていることにより、第１排出口２１の下部内周面に沿った材料の流れが、第１リブ２４により阻害され難くされている。第１リブ２４は、第１排出口２１の入口側（容器２の内周面側）から出口側（容器２の外方側）に向かって第１排出口２１内の流路中央付近にまで延在するように設けられている（図６参照）。このように第１リブ２４を流路方向に沿ってある程度の長さで設けることで、指入れ防止機能を高めることができる。
【００４７】
図４、図６、図７に示すように、フローズンアタッチメント３０の第２排出口３２内には、容器２の第１リブ２４に対応した位置に第２リブ３３が設けられている。具体的には、第２リブ３３は円筒形状を有する第２排出口３２の上部内周面から下部内周面まで至るような板状部材として設けられている。これにより、第２リブ３３は第２排出口３２内の流路を左右２つの流路に分割している。また、第２リブ３３は、第２排出口３２の入口側（ドラム部３１の内周面側）から出口側（容器２の内周面側）まで流路方向全体に延在するように設けられている。ここで、第２排出口３２内において第１排出口２１の第１リブ２４に対応した位置に第２リブ３３が設けられているとは、第１排出口２１および第２排出口３２を流路方向に見た場合に、第１リブ２４の形成位置と第２リブ３３の形成位置とが重なるとともに、この流路方向において両者が実質的に同様な大きさおよび形状に形成されている状態をいう（例えば、後述の図９参照）。
【００４８】
フローズンアタッチメント３０が容器２の内側に配置された状態において、フローズンアタッチメント３０の第２排出口３２の出口側端部３２ａが、容器２の第１排出口２１の入口側端部２１ａに近接して配置される。すなわち、第２排出口３２の出口側端部３２ａが第１排出口２１の入口側端部２１ａに接続された状態（接続部分Ｐ）となる。この状態において、容器２の第１排出口２１を通してフローズンアタッチメント３０の第２排出口３２を覗くと（図９参照）、第２排出口３２内の流路は第１排出口２１内の流路に実質的に重なった状態となる。さらに、第２排出口３２内の第２リブ３３は、第１排出口２１内の第１リブ２４に実質的に重なった状態となる。これにより、第２排出口３２内において第２リブ３３により左右２つに分割された流路は、第１排出口２１内において第１リブ２４により実質的に左右２つに分割された流路に、それぞれ実質的に重なった状態となる。
【００４９】
また、容器２の第１排出口２１の入口側端部２１ａは、容器２の円筒形状の内周面に沿って形成されている。そのため、容器２を上方から見た場合に入口側端部（あるいは入口側端面）２１ａは、容器２の内周面に沿った円弧形状（すなわち湾曲凹面形状）となっている。フローズンアタッチメント３０の第２排出口３２の出口側端部３２ａは、この第１排出口２１の入口側端部２１ａの円弧形状に合致するように、上方から見た場合に外方に突出するような円弧形状（すなわち湾曲凸面形状）を有している。
【００５０】
また、図９に示すように、フローズンアタッチメント３０の第２リブ３３が形成された位置における第２排出口３２の流路断面は、容器２の第１リブ２４が形成された位置における第１排出口２１の流路断面よりも小さく設定されている。
【００５１】
このような構成のフローズンアタッチメント３０が装着されたジューサ１にて、冷凍果物等をフローズン材料として「ヨナナス」（登録商標）等と呼ばれるシャーベットやアイスクリーム状のデザートを作る方法について説明する。
【００５２】
まず、本体部１０の載置部１１に容器２、フローズンアタッチメント３０、およびスクリュ４を設置するとともに、容器２の上部に蓋５を装着する。その後、材料投入口６を通して冷凍果物等のフローズン材料を投入して、押し棒７を用いてフローズン材料を容器２内であるスクリュ４とフローズンアタッチメント３０との間に押し込む。本体部１０の駆動部により回転駆動されたスクリュ４の外面とフローズンアタッチメント３０のドラム部３１の内周面との間でフローズン材料が押し潰される。容器２とフローズンアタッチメント３０とはともに透明のプラスチックで形成されているため、使用者は冷凍果物等のフローズン材料が押し潰される過程を目視して確認することができる。冷凍果物等のフローズン材料が押し潰される過程において、フローズン材料は冷凍されているため硬く、プラスチックで形成されたフローズンアタッチメント３０を変形させようとする。しかしながら、ドラム部３１の外周面に形成された複数の環状リブ３１ａによって、フローズンアタッチメント３０の形状が保持されている。押し潰された流動状態の材料は、フローズンアタッチメント３０の第２排出口３２内を通して容器２の第１排出口２１内へと導かれる。そして、流動状態の材料が容器２の第１排出口２１を通して取り出され、ジューサ１においてシャーベットやアイスクリーム状のデザートが作られる。
【００５３】
フローズン材料を押し潰して作られた流動状態の材料は搾汁と比べて粘性が高い。本実施の形態のフローズンアタッチメント３０の第２排出口３２内において、容器２の第１排出口２１内に設けられた指入れ防止用の第１リブ２４に対応した位置に第２リブ３３が設けられている。そのため、フローズンアタッチメント３０内から第２排出口３２を通過する際に、流動状態の材料は第２リブ３３によって分割された２つの流路に沿った流れに整えられる。そして、第２排出口３２と第１排出口２１の接続部分Ｐにて、このように整えられた流れ状態にて第２排出口３２から第１排出口２１内へと材料が導かれる。
【００５４】
これにより、容器２の第１排出口２１の入口側端部２１ａにおいて、第１リブ２４により実質的に分割された２つの流路内へと円滑に材料を導くことができ、第１排出口２１において指入れ防止用に設けられた第１リブ２４が流路抵抗となることを抑制できる。よって、フローズンアタッチメント３０の第２排出口３２から容器２の第１排出口２１内へと流動状態の材料を円滑に導くことができる。よって、第１排出口２１と第２排出口３２との接続部分Ｐの隙間から容器２内に材料があふれ出す（漏れ出す）ことを抑制できる。
【００５５】
さらに、第１排出口２１と第２排出口３２との接続部分Ｐを構成する第１排出口２１の入口側端部２１ａの円弧形状（湾曲凹面形状）に沿ってフローズンアタッチメント３０の第２排出口３２の出口側端部３２ａも円弧形状（湾曲凸面形状）で形成されている。そのため、第１排出口２１と第２排出口３２との接続部分Ｐの隙間を接続部分Ｐの外周全体において均等に狭く形成できる。よって、接続部分Ｐの隙間から容器２内に材料があふれ出す（漏れ出す）ことをさらに抑制できる。
【００５６】
また、フローズンアタッチメント３０の第２リブ３３が形成された位置における第２排出口３２の流路断面は、容器２の第１リブ２４が形成された位置における第１排出口２１の流路断面よりも小さく設定されている。そのため、第２排出口３２から第１排出口２１へと流動状態の材料が導かれる際に、第１排出口２１の入口側端部２１ａにて流路抵抗が増加することを抑制でき、材料の流れを円滑にできる。
【００５７】
また、第１排出口２１の第１リブ２４による材料の流路抵抗を少なくするという観点からは、第１リブ２４と第２リブ３３とを近接させて設けることが望ましい。例えば、第１排出口２１の入口側端部２１ａに位置するように第１リブ２４が設けられ、第２排出口３２の出口側端部３２ａに位置するように第２リブ３３が設けられるようにすることが望ましい。
【００５８】
また、第２排出口３２の入口側から出口側まで流路方向全体に延在するように第２リブ３３が設けられている。これにより、第２リブ３３が流路抵抗となって第２排出口３２の入口側に留まろうとする材料を、ドラム部３１の内周面においてスクリュ４により掻き取ることができ、材料の流れを円滑にできる。
【００５９】
また、第２排出口３２がドラム部３１の外周面より外方に突出する筒形状を有し、第２排出口３２の出口側端部３２ａが容器２の第１排出口２１の入口側端部２１ａと接続されている。これにより、容器２の内側に材料をあふれ出して内周面に材料を付着させるようなことなく、第２排出口３２から第１排出口２１内へと円滑に材料を導くことができる。
【００６０】
このように、本実施の形態のフローズンアタッチメント３０を備えるジューサ１では、フローズンアタッチメント３０内から流動状態の材料を、第２排出口３２を通して容器２の第１排出口２１に円滑に導くことができる。よって、第２排出口３２と第１排出口２１の接続部分Ｐにおいて材料があふれ出すことを抑制できる。そのため、フローズン材料が用いられた場合に、容器２の内周面にフローズン材料を広範囲に渡って付着させることを抑制できる。さらに、フローズンアタッチメント３０の第２排出口３２と容器２の第１排出口２１との接続部分Ｐにおいて、シール部材などを設ける必要もない。よって、装置の部品点数を低減でき、また、使用後の洗浄作業性も良好とすることができる。
【００６１】
（本実施の形態の変形例）
次に、本実施の形態のジューサ１が備えるフローズンアタッチメントの変形例について説明する。
【００６２】
ジューサ１の容器２の第１排出口内に設けられる指入れ防止用の第１リブの形態は、第１排出口内の流路を２つに分割するような形態（例えば、図９に示す第１リブ２４のような形態）に限られない。第１リブの形態は、指入れ防止機能が達成できるような形態であればよく、例えば、第１排出口内の流路を実質的に３つに分割するような形態であってもよく、さらに４つ以上に分割するような形態であってもよい。フローズンアタッチメントの第２排出口内において、容器２の第１排出口内に設けられる指入れ防止用の第１リブに対応した位置（すなわち、対応した形状、大きさ、および配置）に第２リブが設けられることが望ましい。
【００６３】
例えば、図１０に示すように、本実施の形態の変形例１にかかるフローズンアタッチメント１３０では、ドラム部１３１より外方に突出して設けられた第２排出口１３２内には、流路を３つに分割するような三つ叉形状の第２リブ１３３が設けられている。容器２の第１排出口内に設けられる指入れ防止用の第１リブが、流路を３つに分割するような三つ叉形状に形成されているような場合には、このように第２排出口１３２内において第１リブに対応した位置に三つ叉形状の第２リブ１３３を設けることが望ましい。これにより、フローズンアタッチメント１３０の第２排出口１３２から容器２の第１排出口内へと、流動状態の材料の流れを整えながら円滑に導くことができる。
【００６４】
なお、図１０に示す変形例１にかかるフローズンアタッチメント１３０では、第２リブ１３３が上向きＹ字の三つ叉形状を有している。このような場合に代えて、図１１に示す変形例２にかかるフローズンアタッチメント２３０のように、第２排出口２３２内に下向き（逆向き）Ｙ字の三つ叉形状を有する第２リブ２３３が設けられるような場合であってもよい。なお、この場合、容器２の第１排出口内に設けられる指入れ防止用の第１リブは下向きＹ字の三つ叉形状に設けられている。
【００６５】
上述の実施の形態の説明では、フローズンアタッチメント３０の第２排出口３２の出口側端部３２ａと容器２の第１排出口２１の入口側端部２１ａとが接続されている場合について説明した。ここで「接続」とは、第２排出口３２の出口側端部３２ａと第１排出口２１の入口側端部２１ａとが互いに接触している場合のみに限らず、出口側端部３２ａと入口側端部２１ａとの間に隙間が設けられるような場合をも含む。例えば、容器２内に対するフローズンアタッチメント３０の脱着性を考慮した隙間を設けるようにしてもよい。ただし、このような隙間は、流動状態とされたフローズン材料が容器２内に大きく漏れ出さない程度の大きさに設定することが望ましい。
【００６６】
また、容器２の第１排出口２１内にて設けられた指入れ防止用の第１リブ２４の下端２４ａと第１排出口２１の下部内周面との間に隙間２５が設けられるような場合を例として説明したが、このような隙間２５が設けられていないような構成であってもよい。
【００６７】
また、フローズンアタッチメント３０の第２リブ３３が形成された位置における第２排出口３２の流路断面は、容器２の第１リブ２４が形成された位置における第１排出口２１の流路断面よりも小さく設定されている場合を例としたが、このような場合のみに限られない。第２排出口３２の流路断面は、第１排出口２１の流路断面と実質的に同じか、それよりも小さく設定されていれば、流路抵抗を増加させることなく材料の流れを円滑にできる。
【００６８】
また、上述の説明では、ジューサアタッチメント３がドラム部材８および回転ブラシ９により構成される場合を例としたが、ジューサアタッチメントの構成はこのような場合のみに限られない。ジューサアタッチメントは、スクリュ４の外面との間で材料を圧搾することができるような構成であればよく、その他様々な構成を採り得る。
【００６９】
また、ジューサ１が、ジューサアタッチメント３と交換可能に装備されるフローズンアタッチメント３０を備えるような場合を例としたが、ジューサがフローズンアタッチメントを備え、ジューサアタッチメントを備えないような場合であってもよい。
【００７０】
なお、上記様々な実施の形態のうちの任意の実施の形態を適宜組み合わせることにより、それぞれの有する効果を奏するようにすることができる。
【産業上の利用可能性】
【００７１】
本開示のフローズンアタッチメントは、ジューサにおいて、フローズン材料を押し潰して、シャーベットやアイスクリーム状のデザートとして作るようなアタッチメントへの適用が有用である。
【符号の説明】
【００７２】
１  ジューサ
２  容器
３  ジューサアタッチメント
４  スクリュ
５  蓋
６  材料投入口
７  押し棒
８  ドラム部材
８ａ  網状部
９  回転ブラシ
１０  本体部
１１  載置部
１２  回転駆動軸
２１  第１排出口
２３  搾り滓排出口
２４  第１リブ
３０  フローズンアタッチメント
３１  ドラム部
３２  第２排出口
３３  第２リブ
【図１】
2016054798.tif 000003
【図２】
2016054798.tif 000004
【図３】
2016054798.tif 000005
【図４】
2016054798.tif 000006
【図５】
2016054798.tif 000007
【図６】
2016054798.tif 000008
【図７】
2016054798.tif 000009
【図８】
2016054798.tif 000010
【図９】
2016054798.tif 000011
【図１０】
2016054798.tif 000012
【図１１】
2016054798.tif 000013
【図１２】
2016054798.tif 000014
【図１３】
2016054798.tif 000015